(57)【要約】【課題】機器を中古機として適正価額で市場に供給し、又は購入できる市場を生成可能とする中古機販売システムを提供することを目的とする。【解決手段】販売・リースシステム１２は、販売・リースに関する所定の情報を、中古機リースシステム１２に提示し、保守・管理システム１４は、保守・管理に関する所定の情報を、中古機リースシステム１２に提示し、中古機リースシステム１２は、検査・点検手段と、中古機対象判断手段と、中古機情報周知手段とを有し、検査・点検手段は、中古機の検査及び点検を行い、中古機対象判断手段は、前記検査・点検手段による検査情報、販売・リースに関する情報及び前記保守・管理に関する情報に基づいて、所定の使用期間以内の中古機であって、再使用可能な中古機を選定し、中古機情報周知手段は、選定された中古機を中古機ユーザ端末に提示する。【選択図】　　　　図１
2004070838.tif 000002
【特許請求の範囲】
【請求項１】
販売・リースシステムと、保守・管理システムと、中古機リースシステムと、初期ユーザ端末と、中古機ユーザ端末とが、通信ネットワークによって接続された中古機販売システムにおいて、
前記販売・リースシステムは、販売・リースに関する所定の情報を、前記中古機リースシステムに提示し、
前記保守・管理システムは、保守・管理に関する所定の情報を、前記中古機リースシステムに提示し、
中古機リースシステムは、検査・点検手段と、中古機対象判断手段と、中古機情報周知手段とを有し、
前記検査・点検手段は、中古機の検査及び点検を行い、前記中古機対象判断手段は、前記検査・点検手段による検査情報、前記販売・リースに関する情報及び前記保守・管理に関する情報に基づいて、所定の使用期間以内の中古機であって、再使用可能な中古機を選定し、前記中古機情報周知手段は、選定された中古機を中古機ユーザ端末に提示することを特徴とする中古機販売システム。
【請求項２】
前記販売・リースシステムは、前記初期ユーザ端末のユーザとオペレーティングリース契約を結ぶことを特徴とする請求１項記載の中古機販売システム。
【請求項３】
通信ネットワークによって中古機販売システムに接続された機器使用情報収集システムが、対象となる機器の使用に係る所定の情報を、前記中古機リースシステムに提示し、
前記中古機対象判断手段は、対象となる機器の使用に係る情報を参照して、再使用可能な中古機を選定することを特徴とする請求項１又は２記載の中古機販売システム。
【請求項４】
中古機リースシステムは、中古機を中古機ユーザに搬出する前に、該中古機の整備及び消耗品の補充を行うことを特徴とする請求項１ないし３いずれか一項記載の中古機販売システム。
【請求項５】
販売・リースシステムと、保守・管理システムと、中古機リースシステムと、初期ユーザ端末と、中古機ユーザ端末とが、通信ネットワークによって接続された中古機販売システムにおける中古機販売方法において、
前記販売・リースシステムは、販売・リースに関する所定の情報を、前記中古機リースシステムに提示し、
前記保守・管理システムは、保守・管理に関する所定の情報を、前記中古機リースシステムに提示し、
中古機の検査・点検を行う検査・点検手段と、対象とする中古機を選定する中古機対象判断手段と、ユーザの中古機に関する情報を提示する中古機情報周知手段とを有する中古機リースシステムは、
前記中古機対象判断手段は、前記検査・点検手段により検査・点検された検査・点検情報、前記販売・リースに関する情報及び前記保守・管理に関する情報に基づいて、所定の使用期間以内の中古機であって、再使用可能な中古機を選定し、前記中古機情報周知手段は、選定された中古機を中古機ユーザ端末に提示することを特徴とする中古機販売方法。
【請求項６】
前記販売・リースシステムは、前記初期ユーザ端末のユーザとオペレーティングリース契約を結ぶことを特徴とする請求項５記載の中古機販売方法。
【請求項７】
通信ネットワークによって中古機販売システムに接続された機器使用情報収集システムが、対象となる機器の使用に係る所定の情報を、前記中古機リースシステムに提示し、
前記中古機対象判断手段は、対象となる機器の使用に係る情報を参照して、再使用可能な中古機を選定することを特徴とする請求項５又は６記載の中古機販売方法。
【請求項８】
中古機リースシステムは、中古機を中古機ユーザに搬出する前に、中古機の整備及び消耗品の補充を行うことを特徴とする請求項５ないし７いずれか一項記載の中古機販売方法。
【請求項９】
販売・リースシステムと、保守・管理システムと、中古機ユーザ端末とが通信ネットワークによって接続された中古機リースシステムにおいて、
前記販売・リースシステムからの販売・リースに関する所定の情報と、前記保守・管理システムからの保守・管理に関する所定の情報を受信する情報受信手段と、
中古機の検査・点検を行う検査・点検手段と、
対象とする中古機を選定する中古機対象判断手段と、
前記中古機ユーザ端末に対して、中古機に関する情報を提示する中古機情報周知手段とを有し、
前記検査・点検手段は、中古機の検査及び点検を行い、
前記中古機対象判断手段は、前記検査・点検手段による検査情報並びに前記情報受信手段が受信した販売・リースに関する情報及び保守・管理に関する情報に基づいて、所定の使用期間以内の中古機であって、再使用可能な中古機を選定し、前記中古機情報周知手段は、選定された中古機を中古機ユーザ端末に提示することを特徴とする中古機リースシステム。
【請求項１０】
前記情報受信手段は、通信ネットワークによって中古機販売システムに接続された機器使用情報収集システムからの対象となる機器の使用に係る所定の情報を受信し、
前記中古機対象判断手段は、前記情報受信手段が受信した対象となる機器の使用に係る情報を参照して、再使用可能な中古機を選定することを特徴とする請求項９記載の中古機リースシステム。
【請求項１１】
中古機の整備及び消耗品の補充を行う整備・補充手段を有し、
中古機を中古機ユーザに搬出する前に、前記整備・補充手段より、中古機の整備及び消耗品の補充を行うことを特徴とする請求項９又は１０記載の中古機リースシステム。
【請求項１２】
中古機の登録を行う登録手段を有し、
前記登録手段は、前記中古機対象判断手段が選定した再使用可能な中古機を登録し、
前記中古機情報周知手段は、前記登録手段により登録された中古機を中古機ユーザ端末に提示することを特徴とする請求項９ないし１１いずれか一項記載の中古機リースシステム。
【請求項１３】
中古機リースシステムで使用するデータベース手段を有し、
該データベース手段は、中古機に関する情報を記憶した対象機器情報ファイルを有することを特徴とする請求項９ないし１２いずれか一項記載の中古機リースシステム。
【請求項１４】
前記データベース手段は、前記中古機対象判断手段が判断基準とする判断基準を記憶した判断基準情報ファイルを有することを特徴とする請求項９ないし１３いずれか一項記載の中古機リースシステム。
【請求項１５】
販売・リースシステムと、保守・管理システムと、中古機ユーザ端末とが通信ネットワークによって接続された中古機リースシステムにおける中古機販売プログラムにおいて、
前記販売・リースシステムからの販売・リースに関する所定の情報と、前記保守・管理システムからの保守・管理に関する所定の情報を受信する情報受信手段と、
中古機の検査・点検を行う検査・点検手段と、
対象とする中古機を選定する中古機対象判断手段と、
ユーザの中古機に関する情報を提示する中古機情報周知手段とを有し、
前記検査・点検手段は、中古機の検査及び点検を行い、
前記中古機対象判断手段は、前記検査・点検手段による検査情報並びに前記情報受信手段が受信した販売・リースに関する情報及び保守・管理に関する情報に基づいて、所定の使用期間以内の中古機であって、再使用可能な中古機を選定し、前記中古機情報周知手段は、選定された中古機を中古機ユーザ端末に提示するようにコンピュータに実施させることを特徴とする中古機販売プログラム。
【発明の詳細な説明】
【０００１】
【発明の属する技術分野】
本発明は、中古機販売システム、中古機販売方法、中古機リースシステム及び中古機販売プログラムに関する。
【０００２】
【従来の技術】
私たちの地球は、豊かな包容力でさまざまな生物を育み、また人類の広範かつ活発な活動を支えている。しかし、近年の人類の活動は、地球の包容力の限界を超え、多くの生物との共存はおろか、私たち人類の存続さえも危うくしている。
【０００３】
そこで、機器の開発・設計・稼動にあたっては、環境との調和を常に把握し、汚染予防、エネルギーや資源の有効利用、及び廃棄物の削減と責任ある処理を行う必要があり、機器の企画・開発・設計・購買・生産から販売・物流・使用・廃棄に至るすべての段階において、環境への負荷が少なく安全に配慮することが必要となる。
【０００４】
特に、パソコン、プリンタ、複写機、ファクス、スキャナ等のＯＡ機器は、ライフサイクルが短く、つぎつぎと新製品が市場に投入されるため、製品の寿命が尽きるまで使用されることは希であり、些細な故障があるとか、使用可能であるにも拘わらず、新機能を備えていないという理由で、使われなくなってしまうことがある。
【０００５】
このような状況は、より高機能の製品を求め続けるというユーザの指向がある限り今後も増える傾向にあり、また、最近のＩＴ技術の進展を考慮すると、ＯＡ機器は、ますます短いサイクルで大量使用されることが予想されている。
【０００６】
一方、環境問題や資源の有効利用が喧伝される中、些細な故障が存在するために使用されなくなったＯＡ機器を効果的にリユースすることが、今後ますます重要となる。
【０００７】
ところが、従来は、ＯＡ機器の分野では、簡単な修理をするか、又は修理しなくても使える電気製品であっても、廃棄処分されることが多かった。例えば、リース満了機の処理は、リース会社で独自に行っているが、廃棄処分とされている場合が多い。
【０００８】
また、環境問題や資源の有効利用を考慮して、ＯＡ機器をリサイクル又はリユースすることが、一部において行われている。
【０００９】
【発明が解決しようとする課題】
しかしながら、一部において、リサイクル又はリユースが行われているものの、誰もが、いつでも、ＯＡ機器を中古機として適正価額で市場に供給し、又は購入できる市場はできていない。
【００１０】
本発明は、上記問題に鑑みなされたものであり、機器を中古機として適正価額で市場に供給し、又は購入できる市場を生成可能とする中古機販売システム、中古機販売方法、中古機リースシステム及び中古機販売プログラムを提供することを目的とするものである。
【００１１】
【課題を解決するための手段】
上記課題を解決するために、本件発明は、以下の特徴を有する課題を解決するための手段を採用している。
【００１２】
請求項１に記載された発明は、販売・リースシステムと、保守・管理システムと、中古機リースシステムと、初期ユーザ端末と、中古機ユーザ端末とが、通信ネットワークによって接続された中古機販売システムにおいて、前記販売・リースシステムは、販売・リースに関する所定の情報を、前記中古機リースシステムに提示し、前記保守・管理システムは、保守・管理に関する所定の情報を、前記中古機リースシステムに提示し、中古機リースシステムは、検査・点検手段と、中古機対象判断手段と、中古機情報周知手段とを有し、前記検査・点検手段は、中古機の検査及び点検を行い、前記中古機対象判断手段は、前記検査・点検手段による検査情報、前記販売・リースに関する情報及び前記保守・管理に関する情報に基づいて、所定の使用期間以内の中古機であって、再使用可能な中古機を選定し、前記中古機情報周知手段は、選定された中古機を中古機ユーザ端末に提示することを特徴とする。
【００１３】
請求項１に記載された発明によれば、販売・リースシステムは、販売・リースに関する所定の情報を、中古機リースシステムに提示し、保守・管理システムは、保守・管理に関する所定の情報を、中古機リースシステムに提示し、中古機リースシステムは、検査・点検手段と、中古機対象判断手段と、中古機情報周知手段とを有し、検査・点検手段は、中古機の検査及び点検を行い、中古機対象判断手段は、検査・点検手段による検査情報、販売・リースに関する情報及び前記保守・管理に関する情報に基づいて、所定の使用期間以内の中古機であって、再使用可能な中古機を選定し、中古機情報周知手段は、選定された中古機を中古機ユーザ端末に提示することにより、機器を中古機として適正価額で市場に供給し、又は購入できる市場を生成可能とする中古機販売システム、中古機販売方法、中古機リースシステムを提供することができる。
【００１４】
請求項２に記載された発明は、請求１項記載の中古機販売システムにおいて、前記販売・リースシステムは、前記初期ユーザ端末のユーザとオペレーティングリース契約を結ぶことを特徴とする。
【００１５】
請求項２に記載された発明によれば、販売・リースシステムは、初期ユーザ端末のユーザとオペレーティングリース契約を結ぶことを特徴とすることにより、ユーザは、廉価なリース価格で契約することができ、かつ、中古機リースシステムは、中古機リースに供給する機器を確保することができる。
【００１６】
請求項３に記載された発明は、請求項１又は２記載の中古機販売システムにおいて、通信ネットワークによって中古機販売システムに接続された機器使用情報収集システムが、対象となる機器の使用に係る所定の情報を、前記中古機リースシステムに提示し、前記中古機対象判断手段は、対象となる機器の使用に係る情報を参照して、再使用可能な中古機を選定することを特徴とする。
【００１７】
請求項３に記載された発明によれば、通信ネットワークによって中古機販売システムに接続された機器使用情報収集システムが、対象となる機器の使用に係る所定の情報を、中古機リースシステムに提示し、中古機対象判断手段は、対象となる機器の使用に係る情報を参照して、再使用可能な中古機を選定することにより、機器使用情報収集システムが収集した、中古機に係るから過去の使用情報に基づいて、再使用可能な中古機であるか否かを判断するので、適確な判断が可能となる。
【００１８】
請求項４に記載された発明は、請求項１ないし３いずれか一項記載の中古機販売システムにおいて、中古機リースシステムは、中古機を中古機ユーザに搬出する前に、該中古機の整備及び消耗品の補充を行うことを特徴とする。
【００１９】
請求項４に記載された発明によれば、中古機リースシステムは、中古機を中古機ユーザに搬出する前に、中古機の整備及び消耗品の補充を行うことにより、中古機ユーザは、中古機を新品同様に使用を開始することができる。
【００２０】
請求項５に記載された発明は、販売・リースシステムと、保守・管理システムと、中古機リースシステムと、初期ユーザ端末と、中古機ユーザ端末とが、通信ネットワークによって接続された中古機販売システムにおける中古機販売方法において、前記販売・リースシステムは、販売・リースに関する所定の情報を、前記中古機リースシステムに提示し、前記保守・管理システムは、保守・管理に関する所定の情報を、前記中古機リースシステムに提示し、中古機の検査・点検を行う検査・点検手段と、対象とする中古機を選定する中古機対象判断手段と、ユーザの中古機に関する情報を提示する中古機情報周知手段とを有する中古機リースシステムは、前記中古機対象判断手段は、前記検査・点検手段により検査・点検された検査・点検情報、前記販売・リースに関する情報及び前記保守・管理に関する情報に基づいて、所定の使用期間以内の中古機であって、再使用可能な中古機を選定し、前記中古機情報周知手段は、選定された中古機を中古機ユーザ端末に提示することを特徴とする。
【００２１】
請求項６に記載された発明は、請求項５記載の中古機販売方法において、前記販売・リースシステムは、前記初期ユーザ端末のユーザとオペレーティングリース契約を結ぶことを特徴とする。
【００２２】
請求項７に記載された発明は、請求項５又は６記載の中古機販売方法において、通信ネットワークによって中古機販売システムに接続された機器使用情報収集システムが、対象となる機器の使用に係る所定の情報を、前記中古機リースシステムに提示し、前記中古機対象判断手段は、対象となる機器の使用に係る情報を参照して、再使用可能な中古機を選定することを特徴とする。
【００２３】
請求項８に記載された発明は、中古機リースシステムは、請求項５ないし７いずれか一項記載の中古機販売方法において、中古機を中古機ユーザに搬出する前に、中古機の整備及び消耗品の補充を行うことを特徴とする。
【００２４】
請求項５〜８記載の発明は、請求項１〜４記載の中古機販売システムに適した中古機販売方法である。
【００２５】
請求項９に記載された発明は、販売・リースシステムと、保守・管理システムと、中古機ユーザ端末とが通信ネットワークによって接続された中古機リースシステムにおいて、前記販売・リースシステムからの販売・リースに関する所定の情報と、前記保守・管理システムからの保守・管理に関する所定の情報を受信する情報受信手段と、中古機の検査・点検を行う検査・点検手段と、対象とする中古機を選定する中古機対象判断手段と、前記中古機ユーザ端末に対して、中古機に関する情報を提示する中古機情報周知手段とを有し、前記検査・点検手段は、中古機の検査及び点検を行い、前記中古機対象判断手段は、前記検査・点検手段による検査情報並びに前記情報受信手段が受信した販売・リースに関する情報及び保守・管理に関する情報に基づいて、所定の使用期間以内の中古機であって、再使用可能な中古機を選定し、前記中古機情報周知手段は、選定された中古機を中古機ユーザ端末に提示することを特徴とする。
【００２６】
請求項１０に記載された発明は、請求項９記載の中古機リースシステムにおいて、前記情報受信手段は、通信ネットワークによって中古機販売システムに接続された機器使用情報収集システムからの対象となる機器の使用に係る所定の情報を受信し、前記中古機対象判断手段は、前記情報受信手段が受信した対象となる機器の使用に係る情報を参照して、再使用可能な中古機を選定することを特徴とする。
【００２７】
請求項１１に記載された発明は、請求項９又は１０記載の中古機リースシステムにおいて、中古機の整備及び消耗品の補充を行う整備・補充手段を有し、中古機を中古機ユーザに搬出する前に、前記整備・補充手段より、中古機の整備及び消耗品の補充を行うことを特徴とする。
【００２８】
請求項１２に記載された発明は、請求項９ないし１１いずれか一項記載の中古機リースシステムにおいて、中古機の登録を行う登録手段を有し、前記登録手段は、前記中古機対象判断手段が選定した再使用可能な中古機を登録し、前記中古機情報周知手段は、前記登録手段により登録された中古機を中古機ユーザ端末に提示することを特徴とする。
【００２９】
請求項１３に記載された発明は、請求項９ないし１２いずれか一項記載の中古機リースシステムにおいて、中古機リースシステムで使用するデータベース手段を有し、該データベース手段は、中古機に関する情報を記憶した対象機器情報ファイルを有することを特徴とする。
【００３０】
請求項１４に記載された発明は、請求項９ないし１３いずれか一項記載の中古機リースシステムにおいて、前記データベース手段は、前記中古機対象判断手段が判断基準とする判断基準を記憶した判断基準情報ファイルを有することを特徴とする。
【００３１】
請求項９〜１４記載の発明は、請求項１〜４記載の中古機販売システムに適した中古機リースシステムである。
【００３２】
請求項１５に記載された発明は、販売・リースシステムと、保守・管理システムと、中古機ユーザ端末とが通信ネットワークによって接続された中古機リースシステムにおける中古機販売プログラムにおいて、前記販売・リースシステムからの販売・リースに関する所定の情報と、前記保守・管理システムからの保守・管理に関する所定の情報を受信する情報受信手段と、中古機の検査・点検を行う検査・点検手段と、対象とする中古機を選定する中古機対象判断手段と、ユーザの中古機に関する情報を提示する中古機情報周知手段とを有し、前記検査・点検手段は、中古機の検査及び点検を行い、前記中古機対象判断手段は、前記検査・点検手段による検査情報並びに前記情報受信手段が受信した販売・リースに関する情報及び保守・管理に関する情報に基づいて、所定の使用期間以内の中古機であって、再使用可能な中古機を選定し、前記中古機情報周知手段は、選定された中古機を中古機ユーザ端末に提示するようにコンピュータに実施させることを特徴とする。
【００３３】
請求項１５記載の発明は、請求項９〜１４記載の中古機リースシステムにおける中古機販売プログラムである。
【００３４】
【発明の実施の形態】
次に、本発明の実施の形態について図面と共に説明する。図１のシステムは、ＯＡ機器を中古機として適正価額で市場に供給し、又は購入できる市場を生成可能とする中古機販売システムである。
【００３５】
図１は、初期ユーザ端末１と、中古機ユーザ端末２と、機器使用情報収集システム１１と、中古機リースシステム１２と、販売・リースシステム１３と、保守・管理システム１４とが、通信ネットワーク１０によって接続された中古機販売システムの例を説明するための図である。
【００３６】
初期ユーザ端末１と中古機ユーザ端末２とは、一つしか示していないが、実際は、複数存在する。
【００３７】
通信ネットワーク１０は、インターネット、公衆電話網等を含む電話及び／又はデータ通信のためのネットワークであって、移動端末用又は固定端末用の通信ネットワークである。
【００３８】
初期ユーザ端末１は、新品の機器を使用するユーザの端末である。ここで機器とは、パソコン、プリンタ、複写機、ファクス等の機器を言う。中古機ユーザ端末２は、中古機リースシステム１２と契約を結び、中古機を使用するユーザの端末である。
【００３９】
機器使用情報収集システム１１は、初期ユーザ端末１と、中古機ユーザ端末２の使用状態を示す使用状態情報及び前記機器の品質を示す品質情報とを収集して管理する。また、収集したこれらの情報を、必要に応じ、加工して、中古機リースシステム１２に転送する。また、中古機リースシステム１２は、機器使用情報収集システム１１の記憶手段にアクセスし、この記憶手段に記憶されている使用状態情報及び品質情報を、任意に取得することができる。なお、使用状態情報は、例えば、サイズ別使用量、給紙段別使用量、両面使用量及びこれらの月別推移等である。また、品質情報としては、故障していることを示す故障情報及び故障ではないがメンテナンスを必要とする状態であることを示すアラーム情報を含む。
【００４０】
中古機リースシステム１２は、販売・リースシステム１３からの販売・リースに関する所定の情報と保守・管理システム１４からの保守・管理に関する所定の情報等を受信する情報受信手段と、中古機の検査・点検を行う検査・点検手段と、対象とする中古機を選定する中古機対象判断手段と、ユーザの中古機に関する情報を提示する中古機情報周知手段とを有し、中古機のリースを行う。
【００４１】
販売・リースシステム１３は、パソコン、プリンタ、複写機、ファクス等の機器を販売及びリースする。販売・リースシステム１３は、必要に応じて、販売・リースに関する所定の情報を、中古機リースシステム１２に提示する。販売・リースシステム１３は、販売システムとリースシステムとの二つのシステムから構成されるものであってもよい。
【００４２】
保守・管理システム１４は、パソコン、プリンタ、複写機、ファクス等の機器の保守・管理を行う。保守・管理システム１４は、必要に応じて、保守・管理に関する所定の情報を、中古機リースシステム１２に提示する。保守・管理システム１４は、機器使用情報収集システム１１と合体して、一のシステムとしてもよい。
【００４３】
図１のシステムにおいて、中古機リースシステム１２は、販売・リースシステム１３からの販売・リースに関する所定の情報、保守・管理システム１４からの保守・管理に関する所定の情報、機器使用情報収集システム１１からの使用状態情報及び前記機器の品質を示す品質情報等と、独自に実施した検査・点検情報等に基づいて、再使用可能な中古機を選定し、選定した中古機を中古機ユーザ端末２に提示する。中古機ユーザ端末２のユーザは、表示された中古機に関する情報に基づいて、中古機リースシステム１２に中古機のリース契約を申しでる。
【００４４】
図２は、製造者システム（図１には示していない）と、販売・リースシステムと、初期ユーザ端末と、中古機リースシステムと、中古機ユーザ端末とにおける中古機販売のシーケンス例を説明するための図である。なお、説明を簡明にするために、ここでは、機器使用情報収集システム１１と保守・管理システム１４とを除いて、説明する。
【００４５】
先ず、製造者システムは、ＯＡ機器を製造し、販売・リースシステムに、当該ＯＡ機器を情報と共に提供する（Ｓ１１）。このとき、ＯＡ機器に関する機種・機番・製造工場・製造日等の基本情報を、販売・リースシステムに提供する。また、製造者システムは、在庫が生じた場合は、在庫品を中古機販売ルートに乗せるために、中古機リースシステムに、在庫品を情報と共に提供する（Ｓ１３）。
【００４６】
販売・リースシステムは、製造者システムから提供されたＯＡ機器を展示（Ｓ１２）したり、デモンストレーション（Ｓ１４）したりする。販売・リースシステムは、展示品・デモ機を中古機販売ルートに乗せるために、中古機リースシステムに、展示品・デモ機を情報と共に提供する（Ｓ１３、Ｓ１４）。
【００４７】
販売・リースシステムは、初期ユーザとの間でリース契約を締結する（Ｓ１５）。このとき、できる限りオペレーティングリース契約を行う。その理由は、オペレーティングリース契約は、リース期間満了時の中古機の使用価値を評価し、その価値をリース料算定に、残存価値として設定するものである。ところで、中古機の市場を形成するには、中古機の市場に中古機の供給が継続して無ければならない。そこで、中古機の確保のために、リース期間の短いリース期間を設定する必要がある。このとき、ユーザが短いリース期間に応じ易い様に、リース期間満了時の中古機の使用価値を評価して、リース料を安く設定可能なオペレーティングリース契約を行う。
【００４８】
締結された契約に基づいて、販売・リースシステムは、初期ユーザに対して、ＯＡ機器の搬出を行う（Ｓ１６）。初期ユーザは、搬入されたＯＡ機器を使用し（Ｓ１６）、リース期間が満了すると、販売・リースシステムに返す（Ｓ１７）。販売・リースシステムは、引き取ったＯＡ機器を、中古機市場に回すために、中古機リースシステムに搬出する（Ｓ１８）。なお、販売・リースシステムは、在庫が生じた場合は、在庫品を中古機販売ルートに乗せるために、中古機リースシステムに、在庫品を情報と共に提供する（Ｓ１９）。
【００４９】
中古機リースシステムは、製造者システムからの在庫品、販売・リースシステムからの展示品、デモ機、中古機及び在庫品を情報と共に受け入れる。中古機リースシステムは、受け入れたＯＡ機器の検査・点検を行い（Ｓ２０）、中古機としてリースするか否かの判断（Ｓ２１）を行って再使用可能な中古機を選定し、選定した中古機を中古機ユーザ端末に提示する（Ｓ２２）。中古機リースシステムは、中古機ユーザとの間でリース契約を締結する（Ｓ２３）。
【００５０】
その後、中古機リースシステムは、必要な中古機の整備及び消耗品の補充を行う（Ｓ２４）。また、締結された契約に基づいて、中古機リースシステムは、中古機ユーザに対して、ＯＡ機器の搬出を行う（Ｓ２５）。中古機ユーザは、搬入されたＯＡ機器を使用し（Ｓ２６）、リース期間が満了すると、中古機リースシステムに返す（Ｓ２７）。中古機リースシステムは、引き取ったＯＡ機器を廃棄する（Ｓ２８）。
【００５１】
次に、図３を用いて、中古機リースシステムの構成例を説明する。図３の中古機リースシステムは、制御部２１、制御部２１に接続された一時記憶部例えば、（ＲＡＭ）２１１、通信ネットワーク１０と接続されて情報受信部２２、データベース部２３、物流部２４、検査・点検部２５、判断部２６、登録部２７、契約部２８及び整備・補充部２９から構成されている。
【００５２】
制御部２１は、コンピュータを有し、一時記憶部例えば、（ＲＡＭ）２１１に格納された中古機販売プログラムに従って、中古機リースシステム全体を制御する。
【００５３】
データベース部２３は、対象機器情報ファイル２３１、詳細情報ファイル２３２、使用情報ファイル２３３、メンテ情報ファイル２３４、検査情報ファイル２３５、判断基準情報ファイル２３６、登録情報ファイル２３７、契約情報ファイル２３８及び物流情報ファイル２３９を有する。
【００５４】
対象機器情報ファイル２３１に格納されている情報は、中古機リースの対象となるＯＡ機器の基本情報であり、例えば、対象となるＯＡ機器の機種・機番等である。販売・リースシステム、製造者システムから情報を受け入れる。
【００５５】
詳細情報ファイル２３２に格納されている情報は、対象機器情報ファイル２３１に記憶されているＯＡ機器の詳細情報である。例えば、ＯＡ機器の使用期間、製造場所、製造年月日、使用者等である。販売・リースシステム、製造者システムから受情報を受け入れる。
【００５６】
使用情報ファイル２３３に格納されている情報は、ＯＡ機器の使用に係る情報である。例えば、ＯＡ機器の使用状態を示す使用状態情報、機器の品質を示す品質情報等である。機器使用情報収集システムから情報を受け入れる。
【００５７】
メンテ情報ファイル２３４に格納されている情報は、ＯＡ機器のメンテに係る情報である。例えば、ＯＡ機器の故障修理等に関するメンテ情報等である。保守・管理システムから情報を受け入れる。消耗品の補充情報、部品の交換情報もメンテ情報である。
【００５８】
検査情報ファイル２３５に格納されている情報は、検査・点検部２５が検査・点検した結果の情報である。
【００５９】
判断基準情報ファイル２３６に格納されている情報は、判断部２６が判断するときの基準となる情報である。例えば、使用期間は３年以内等の判断基準である。この情報は、ＯＡ機器毎に設定してもよい。
【００６０】
登録情報ファイル２３７に格納されている情報は、判断部２６が、選定した再使用可能な中古機に関する情報である。
【００６１】
契約情報ファイル２３８に格納されている情報は、中古機ユーザとの間の契約の内容である。
【００６２】
物流情報ファイル２３９に格納されている情報は、中古機リースシステムから搬出に関する情報及び中古機リースシステムへの搬入に関する情報である。
【００６３】
データベース部２３に格納されている対象機器情報ファイル２３１、詳細情報ファイル２３２、使用情報ファイル２３３、メンテ情報ファイル２３４、検査情報ファイル２３５、判断基準情報ファイル２３６、登録情報ファイル２３７、契約情報ファイル２３８及び物流情報ファイル２３９の情報は、制御部２１の制御に基づいて、物流部２４、検査・点検部２５、判断部２６、登録部２７、契約部２８及び整備・補充部２９が利用する情報である。
【００６４】
物流部２４は、中古機ユーザ端末２、販売・リースシステム１３、製造システムとの間の物流に携わる。例えば、物流部２４は、製造者システムからの在庫品、販売・リースシステムからの展示品、デモ機、中古機及び在庫品を受け入れる。中古機ユーザに中古機を納入し、使用済みの中古機を回収する。
【００６５】
検査・点検部２５は、物流部２４が、製造者システム及び販売・リースシステムから受け入れたＯＡ機器の検査・点検を行う。
【００６６】
判断部２６は、中古機としてリースするか否かの判断を、データベース部２３の対象機器情報ファイル２３１、詳細情報ファイル２３２、使用情報ファイル２３３、メンテ情報ファイル２３４、検査情報ファイル２３５、判断基準情報ファイル２３６を参照して行う。
【００６７】
登録部２７は、判断部２６により、中古機としてリースするものとして選定した中古機を登録情報ファイル２３７に登録する。また、登録部２７は、登録した中古機を、紹介する紹介画像を作成する。この紹介画像は、中古機リースシステムにアクセスしてきた、中古機ユーザ端末に表示される。これにより、中古機としてリースされるＯＡ機器の情報が周知される。従って、登録部２７は、登録機能と選定された中古機を中古機ユーザ端末に提示する周知機能を有する。
【００６８】
契約部２８は、アクセスしてきた中古機ユーザ端末に、中古機のＯＡ機器に関する詳細情報を提示して、中古機ユーザとの間でリース契約を締結する。
【００６９】
整備・補充部２９は、契約に基づいて、ＯＡ機器の搬出を行う前に、必要な中古機の整備及び消耗品の補充を行う。その後、物流部２４は、締結された契約に基づいて、中古機ユーザに対して、ＯＡ機器の搬出を行う。
【００７０】
図４に中古機リースシステムにおける処理フローを示す。中古機リースシステムは、物流部２４により、製造者システムからの在庫品、販売・リースシステムからの展示品、デモ機、中古機及び在庫品を受け入れる（Ｓ３１）。
【００７１】
次いで、検査・点検部２５は、物流部２４が、製造者システム及び販売・リースシステムから受け入れたＯＡ機器の検査・点検を行う（Ｓ３２）。
【００７２】
判断部２６は、中古機としてリースするか否かの判断を、データベース部２３は、対象機器情報ファイル２３１、詳細情報ファイル２３２、使用情報ファイル２３３、メンテ情報ファイル２３４、検査情報ファイル２３５、判断基準情報ファイル２３６を参照して行う。登録しない場合（Ｓ３３：非登録）は、廃棄するために、搬出する（Ｓ３９）。登録する場合（Ｓ３３：登録）は、登録部２７は、判断部２６により、中古機としてリースするものとして選定した中古機を登録情報ファイル２３７に登録する。また、登録部２７は、登録した中古機を、中古機ユーザ端末に周知する（Ｓ３５）。
【００７３】
次いで、契約部２８は、アクセスしてきた中古機ユーザ端末に、中古機のＯＡ機器に関する詳細情報を提示して、中古機ユーザとの間でリース契約を締結する。
【００７４】
整備・補充部２９は必要な中古機の整備及び消耗品の補充を行って（Ｓ３８）、中古機ユーザに搬出する（Ｓ３９）。
【００７５】
なお、初期ユーザ端末と中古機ユーザ端末とは、同じ端末であってもよい。つまり、初期ユーザが、中古機を利用してもよい。
【００７６】
【発明の効果】
上述の如く本発明によれば、機器を中古機として適正価額で市場に供給し、又は購入できる市場を生成可能とする中古機販売システム、中古機販売方法、中古機リースシステム及び中古機販売プログラムを提供することができる。
【００７７】
また、中古機リースシステム１２と販売・リースシステム１３とが一体となり、中古機リースと新品のリースを、一つのシステムで行うようにしてもよい。
【００７８】
【図面の簡単な説明】
【図１】中古機販売システムの例を説明するための図である。
【図２】中古機販売のシーケンス例を説明するための図である。
【図３】中古機リースシステムの構成例を説明する
【図４】中古機リースシステムにおける処理フローの例を説明するための図である。
【符号の説明】
１　　初期ユーザ端末
２　　中古機ユーザ端末
１０　　通信ネットワーク
１１　　機器使用情報収集システム
１２　　中古機リースシステム
１３　　販売・リースシステム
１４　　保守・管理システム
２１　　制御部
２２　　情報受信部
２３　　データベース部
２４　　物流部
２５　　検査・点検部
２６　　判断部
２７　　登録部
２８　　契約部
２９　　整備・補充部
２１１　　一時記憶部（ＲＡＭ）
２３１　　対象機器情報ファイル
２３２　　詳細情報ファイル
２３３　　使用情報ファイル
２３４　　メンテ情報ファイル
２３５　　検査情報ファイル
２３６　　判断基準情報ファイル
２３７　　登録情報ファイル
２３８　　契約情報ファイル
２３９　　物流情報ファイル
【図１】
2004070838.tif 000003
【図２】
2004070838.tif 000004
【図３】
2004070838.tif 000005
【図４】
2004070838.tif 000006